(57)【要約】【課題】それぞれにマイクロホンを持った複数の歌唱者が重唱曲の各歌唱パートを分担して歌唱する場合に、各声部のバランスが自動的に最適化されて、歌唱する側も聴く側も心地よくバランスのとれた重唱が行われるようにする。【解決手段】重唱曲の演奏中、カラオケデータ中の主声部の旋律データと各マイクロホン２１からの歌声信号とを個別に対比して、主声部の歌声が入力されているマイクロホンを特定し、拡声手段における複数のマイクロホン出力の増幅系１７１からそれぞれ出力される歌声音量レベルを比較し、この旋律分析および音量比較の出力に基づいて拡声手段における各マイクロホン出力増幅系のゲインを個別に調整する。【選択図】  図２
2010237260.tif 000002
【特許請求の範囲】
【請求項１】
拡声手段と、複数のマイクロホンと、旋律分析手段と、音量比較手段と、歌声音量制御手段を備えたカラオケ装置であって、
拡声手段は、カラオケデータに基づいて生成される重唱曲のカラオケ伴奏音楽と複数のマイクロホンからの歌声とを音響出力し、
重唱曲のカラオケデータは、主声部の旋律データを含み、
旋律分析手段は、重唱曲の演奏中、カラオケデータ中の主声部の旋律データと各マイクロホンからの歌声信号とを個別に対比し、主声部の歌声が入力されているマイクロホンを特定し、
音量比較手段は、拡声手段における複数のマイクロホン出力の増幅系からそれぞれ出力される歌声音量レベルを比較し、
歌声音量制御手段は、旋律分析手段により特定されたマイクロホンからの主声部の歌声について音量比較手段により音量レベルが最大であると比較分析されるように、旋律分析手段および音量比較手段の出力に基づいて拡声手段における各マイクロホン出力増幅系のゲインを個別に調整する
カラオケ装置。
【請求項２】
歌声音量制御手段は、各マイクロホン出力増幅系のゲインを個別に調整するに際し、そのゲイン調整量に対し、旋律データに含まれる強弱データが指示する音量程度が反映されるような重み付けを行う
請求項１に記載のカラオケ装置。
【発明の詳細な説明】
【技術分野】
【０００１】
この発明は、重唱曲の主声部を際立たせるカラオケ装置に関し、とくに、ポリフォニックな重唱曲の各歌唱パートを、それぞれにマイクロホンを持った複数の歌唱者が分担して歌唱する場合に、歌唱する側も聴く側も心地よくバランスのとれた重唱が行われるようにしたカラオケ装置に関する。
【背景技術】
【０００２】
カラオケ装置の利用現場では、歌唱者が一人だけの独唱曲以外に、複数の歌唱者が各声部を分担する重唱曲もよく歌われる。重唱曲をより良く歌唱できるように工夫されたカラオケ装置も知られている。
【０００３】
特許文献１（特許第３４５２７９１号）のカラオケ装置は、デュエット曲についてマイクロホンから入力された歌声信号の歌唱パートを判定する機能を備えていて、パート別に歌唱採点を行うことができる。
【０００４】
特許文献２（特許第４０６８０６９号）のカラオケ装置は、カラオケ楽曲データに含まれるバックコーラスパートがカラオケ演奏と共に音響出力される場合において、マイクロホンから入力された歌声信号が、そのバックコーラスパートと同じパートを歌唱していると判定すると、そのバックコーラスの音量を低減する。
【０００５】
特許文献３（特開２００７−０７２３１５号）のカラオケ装置は、カラオケ楽曲データに含まれる模範ボーカルがカラオケ演奏と共に音響出力される場合において、ポリフォニックな重唱曲についてマイクロホンから入力された歌声信号の歌唱パートを判定し、そのパートの模範ボーカルの音量を低減して、歌声と他の声部の模範ボーカルとほどよく混合させる。
【先行技術文献】
【特許文献】
【０００６】
【特許文献１】特許第３４５２７９１号
【特許文献２】特許第４０６８０６９号
【特許文献３】特開２００７−０７２３１５号
【発明の概要】
【発明が解決しようとする課題】
【０００７】
カラオケ装置は複数人のグループ単位で利用されることが多いが、ポリフォニックな重唱曲を歌唱する際は、そのグループ内の複数の利用者がそれぞれにマイクロホンを持って共に歌唱する方が、グループの連帯感や盛り上がり感が得られるなど、楽しさが増す。
【０００８】
この発明の目的は、それぞれにマイクロホンを持った複数の歌唱者が重唱曲の各歌唱パートを分担して歌唱する場合に、歌唱する側も聴く側も心地よくバランスのとれた重唱が行われるようにしたカラオケ装置を提供することにある。
【課題を解決するための手段】
【０００９】
この発明に係るカラオケ装置は、つぎの事項（１）〜（６）により特定されるものである。  
（１）拡声手段と、複数のマイクロホンと、旋律分析手段と、音量比較手段と、歌声音量制御手段を備えたカラオケ装置であること
（２）拡声手段は、カラオケデータに基づいて生成される重唱曲のカラオケ伴奏音楽と複数のマイクロホンからの歌声とを音響出力すること、
（３）重唱曲のカラオケデータは、主声部の旋律データを含むこと
（４）旋律分析手段は、重唱曲の演奏中、カラオケデータ中の主声部の旋律データと各マイクロホンからの歌声信号とを個別に対比し、主声部の歌声が入力されているマイクロホンを特定すること
（５）音量比較手段は、拡声手段における複数のマイクロホン出力の増幅系からそれぞれ出力される歌声音量レベルを比較すること
（６）歌声音量制御手段は、旋律分析手段により特定されたマイクロホンからの主声部の歌声について音量比較手段により音量レベルが最大であると比較分析されるように、旋律分析手段および音量比較手段の出力に基づいて拡声手段における各マイクロホン出力増幅系のゲインを個別に調整すること
【発明の効果】
【００１０】
それぞれにマイクロホンを持った複数の歌唱者が重唱曲の各歌唱パートを分担して歌唱する場合に、各声部のバランスが自動的に最適化されて、歌唱する側も聴く側も心地よくバランスのとれた重唱が行われるようになる。
【図面の簡単な説明】
【００１１】
【図１】この発明の一実施例を構成するカラオケ装置全体の概略構成を示すブロック図である。
【図２】この発明に係るカラオケ装置の要部を抽出して示すブロック図である。
【発明を実施するための形態】
【００１２】
＝＝＝カラオケ装置全体の概略構成＝＝＝
この発明の実施例に係るカラオケ装置の概略構成を図１に例示する。  
このカラオケ装置は、周知のパソコン相当のコンピュータ応用機器であって、その中核をなす中央処理装置１１は、ＣＰＵ・ＲＡＭ・ＲＯＭを含むコンピュータ本体を形成する。
【００１３】
中央処理装置１１の制御管理下に、大容量の外部記憶としてのハードディスク装置１２、ＣＤ−ＲＯＭやＤＶＤ−ＲＯＭなどの光ディスク再生装置１３、光通信回線などの公衆通信回線を介してカラオケホスト装置と通信する通信制御装置１４、利用者からの入力と利用者に向けての応答をやりとりする利用者インターフェイス装置１５、ＭＩＤＩ形式の音楽演奏データに基づいて伴奏音楽の音響信号を生成する音楽生成装置１６、伴奏音楽やマイクロホン２１からの音響信号等を増幅してスピーカ２２から発音する音響装置１７、ＬＣＤやＰＤＰなどを用いたディスプレイ１８、このディスプレイ１８に表示すべき映像データを処理する映像処理装置１９が設置されている。
【００１４】
ハードディスク装置１２には多数のカラオケ楽曲について、ＭＩＤＩデータを主体とした伴奏音楽データと、歌詞画像の生成起源となる歌詞文字データ（歌詞字幕データ）とを含むカラオケデータが蓄積されている。また、所定形式の長時間分の動画データと、動画データの処理シーケンス（処理すべき動画データの格納場所と処理順番など）を規定した台本データや、演奏可能なカラオケ楽曲について、曲名やアーティスト名、発表年、歌詞の歌い出し部分などの目次情報も格納されている。さらに、各楽曲のカラオケデータ（カラオケ楽曲データ）には歌唱旋律データが付属しているが、重唱曲のカラオケデータについては、主声部を含む複数の声部のそれぞれに歌唱旋律データが付属している。
【００１５】
音楽生成装置１６はカラオケデータ中の伴奏音楽データによって伴奏音楽を生成する。歌詞文字データについては、伴奏音楽に同期して歌唱すべき箇所が色変わりする歌詞画像をビデオＲＡＭに順次ビットマップ展開していく。また、台本データに基づいて所定の動画データを所定の順番で映像処理装置１９に順次転送して歌詞画像の背景動画を復号させる。
【００１６】
音響装置１７はミキシングアンプを含み、音楽生成装置１６で生成された伴奏音楽と、マイクロホン２１から入力された歌声音声とを混合・増幅してスピーカ２２より音響出力する。マイクロホン２１は複数が同時接続可能であって、各マイクロホン２１の出力はそれぞれに独立の増幅系で増幅された後、最終的に伴奏音楽と混合されて音響出力される。
【００１７】
この音響装置１７の動作は、旋律分析部３１と、音量比較部３２と、歌声音量制御部３３を含む音響制御部３０によって制御されるようになっている（図２参照）。
【００１８】
映像処理装置１９は、復号した動画映像に歌詞画像をスーパーインポーズ処理してディスプレイ１８に表示出力する。歌詞画像は、伴奏音楽の進行に同期した時系列の歌詞文字データから順次作成される。
【００１９】
利用者インターフェイス装置１５には、カラオケ装置本体の操作パネル１５１やカラオケリモコン装置１５２が含まれ、双方向通信が可能な短距離無線通信手段（ＩｒＤＡトランシーバ・赤外線ＬＥＤ・赤外線受光素子）を備えている。
【００２０】
中央処理装置１１は、各楽曲のカラオケデータ、台本データ、および目次情報を楽曲ＩＤによって識別し、これをカラオケデータベースとして管理する。
【００２１】
中央処理装置１１は、利用者インターフェイス装置１５から予約コマンド（リクエスト）を受信する。予約コマンドは楽曲ＩＤ（楽曲識別符号）を含む。この予約コマンドを受信すると、そのコマンドに含まれている楽曲ＩＤを受け取った順に処理予約の待ち行列の末尾に登録する。そして待ち行列の先頭から楽曲ＩＤを順次取り出す。
【００２２】
待ち行列から楽曲ＩＤが取り出された場合は、カラオケデータベースから該当する楽曲用のカラオケデータを取りだして演奏処理に供する。予約コマンドは操作パネル１５１またはカラオケリモコン装置１５２の操作によって入力される。コマンドが入力されると、そこに含まれている楽曲ＩＤはいったん待ち行列に登録される。そして、その待ち行列の先頭から順に読み出されて演奏または再生処理される。
【００２３】
＝＝＝重唱曲に対応するための構成＝＝＝
この発明の実施例に係るカラオケ装置は、重唱曲の歌唱に対応するため、図２に示すように、複数のマイクロホン２１の出力をそれぞれ独立して増幅する複数の増幅系１７１と、各増幅系１７１のゲインを個別に制御する音響制御部３０を有する。
【００２４】
各増幅系１７１の出力は、最終的にミキシングアンプ１７２で混合されてスピーカ２２から音響出力される。音響制御部３０は、旋律分析部３１、音量比較部３２、歌声音量制御部３３によって構成されている。
【００２５】
旋律分析部３１は、重唱曲の演奏中、カラオケデータ中の主声部の旋律データと各マイクロホン２１からの歌声信号とを個別に対比し、主声部の歌声が入力されているマイクロホンを特定する。重唱曲のカラオケデータには、歌詞パート（声部）ごとの歌唱旋律データが付属している。この歌唱旋律データは歌唱採点の際の判定基準などに用いられているが、ここでは主声部の歌声を判定するのに用いる。各マイクロホン２１から入力される歌声をそれぞれ、主旋律データと時系列上で比較することにより、どのマイクロホンからの歌声が主音声であるかを識別させることができる。
【００２６】
音量比較部３２は、複数のマイクロホン２１出力増幅系１７１からそれぞれに出力される歌声音量レベルを検出して相互に比較する。音量レベルの検出は、各増幅系１７１の出力レベルを周期的に巡回してサンプリングするとともに、増幅系１７１ごとに所定回数分の最近サンプリング値を平均演算することにより、増幅系１７１すなわちマイクロホン２１ごとに歌声音量レベルが検出される。この検出に基づいて、複数のマイクロホン２１出力増幅系１７１からそれぞれに出力される歌声音量レベルを比較分析する。
【００２７】
歌声音量制御部３３は、旋律分析部３１および音量比較部３２の出力に基づいて、旋律分析部３１により特定されたマイクロホン２１からの主声部の歌声について音量比較部３２により音量レベルが最大であると比較分析されるように、各マイクロホン出力増幅系１７１のゲインを個別に調整する。たとえば、第１〜第４の４つの声部からなる重唱曲であって、主声部が第１声部の場合、この第１声部の歌声が入力されていると判定されたマイクロホン２１からの歌声信号が、他の声部のそれに対して、最大音量レベルとなるように、各増幅系１７１のゲインを個別に調整する。
【００２８】
ここで留意すべきは、そのゲイン調整が、音量比較部３２にて検出・比較される主声部の歌声音量レベルが、他の声部の音量レベルに対して相対的に最大となるように行われることである。音量比較部３２にて検出・比較される歌声音量レベルは、増幅系のゲイン値だけではなく、歌唱者の声量にも大きく依存する。
【００２９】
主声部を歌う歌唱者の声量が小さい場合は、それに応じてその歌唱者の歌声信号を出力する増幅系のゲインを上げればよい。しかし、主声部の歌唱者の音量が十分であって、他の声部の歌唱者のそれを最初から圧倒しているような場合には、その主声部の歌声信号を出力する増幅系のゲインをとくに上げる必要はなく、場合によっては、各声部のバランスをとるために下げることもあり得る。つまり、各マイクロホン出力増幅系１７１のゲイン調整は、音量比較部３２での比較分析結果に基づき、重唱曲の各声部のバランスが自動的に最適化されて、歌唱する側も聴く側も心地よくバランスのとれた重唱が行われるように行われる。
【００３０】
＝＝＝さらに好ましいゲイン調整の形態＝＝＝
重唱曲のカラオケデータに付属する各声部の旋律データには、ピアニッシモやフォルティッシモのような音量の程度を指示する強弱データが含まれている。カラオケにおいても、より良い歌唱を楽しむためには、少なくとも、最終的にスピーカから音響出力される段階にて、その強弱データが歌唱に反映されていることが好ましい。
【００３１】
したがって、歌声音量制御部３３による各マイクロホン出力増幅系のゲインの個別調整も、その強弱データが反映されることが好ましい。このためには、そのゲイン調整の基準となる音量比較部３２の比較分析結果を、強弱データで重み付けするとよい。
【００３２】
重唱曲の旋律データに含まれる強弱データがフォルティッシモのような高音量を指示する場合は、その旋律データの歌声信号を出力する増幅系のゲインを相対的に高くするような重み付けを行い、逆に、旋律データに含まれる強弱データがピアニッシモのような低音量を指示する場合は、その旋律データの歌声信号を出力する増幅系のゲインを相対的に低くするような重み付けを行う。  
これにより、重唱曲をその曲本来の味わいをより良く引き出しながら歌唱させることができるようになる。
【符号の説明】
【００３３】
１１  中央処理装置
１２  ハードディスク装置
１３  光ディスク再生装置
１４  通信制御装置
１５  利用者インターフェイス装置
１５１  操作パネル
１５２  カラオケリモコン装置
１６  音楽生成装置
１７  音響装置
１７１  増幅系
１７２  ミキシングアンプ
１８  ディスプレイ
１９  映像処理装置
２１  マイクロホン
２２  スピーカ
３０  音響制御部
３１  旋律分析部
３２  音量比較部
３３  歌声音量制御部
【図１】
2010237260.tif 000003
【図２】
2010237260.tif 000004